(57)【要約】【課題】取得した撮影画像に人物とＩＣチップが搭載されたオブジェクトとの両方が含まれているか否かによらず処理を進める場合に比べて、オブジェクトの信頼性を高めることを目的とする。【解決手段】情報処理装置１は、オブジェクト３に搭載されたＩＣチップから取得した個人を識別する個人情報と、撮影された画像データとを取得する取得部１０２と、取得部１０２により取得した画像データを解析し、当該画像データに、人物２とＩＣチップが搭載されたオブジェクトとの両方が含まれている場合、ＩＣチップから取得した個人情報と、当該画像データを解析した解析結果とを照合する制御を行い、画像データに、人物２とＩＣチップが搭載されたオブジェクト３との少なくともいずれか一方が含まれていない場合、個人情報と、当該画像データを解析した解析結果とを照合する処理を行わない制御部１０３と、を有する【選択図】図３
2020194296.tif 000002
【特許請求の範囲】
【請求項１】
オブジェクトに搭載されたＩＣチップから取得した個人を識別する個人情報と、撮影された画像データとを取得する取得部と、
前記取得部により取得した前記画像データを解析し、当該画像データに、人物と前記ＩＣチップが搭載されたオブジェクトとの両方が含まれている場合、前記ＩＣチップから取得した前記個人情報と、当該画像データを解析した解析結果とを照合する制御を行い、前記画像データに、人物とＩＣチップが搭載されたオブジェクトとの少なくともいずれか一方が含まれていない場合、前記個人情報と、当該画像データを解析した解析結果とを照合する処理を行わない制御部と、
を有する情報処理装置。
【請求項２】
前記オブジェクトは、前記人物の画像を含み、
前記個人情報は、予め登録された人物の画像を含み、
前記制御部は、前記照合として、前記個人情報に含まれる予め登録された人物の画像と、前記オブジェクトに含まれる前記人物の画像とが対応するか否かを確認する請求項１に記載の情報処理装置。
【請求項３】
前記オブジェクトは、文字を含み、
前記個人情報は、予め登録された文字を含み、
前記制御部は、前記照合として、前記個人情報に含まれる予め登録された文字と、前記画像データを解析して得られる前記オブジェクトに含まれる文字とが対応するか否かを確認する請求項１又は請求項２に記載の情報処理装置。
【請求項４】
前記オブジェクトは、形状を有し、
前記個人情報は、予め登録された形状の情報を有し、
前記制御部は、前記照合として、前記個人情報に含まれる予め登録された形状の情報と、前記オブジェクトの形状とが対応するか否かを確認する請求項１から請求項３の何れか１項に記載の情報処理装置。
【請求項５】
前記形状は、形、色、及び模様の少なくとも１つを含む請求項４に記載の情報処理装置。
【請求項６】
前記制御部は、異なる角度から撮影された複数の前記オブジェクトの画像を用いて、前記オブジェクトの立体的な形状を解析する請求項４又は請求項５に記載の情報処理装置。
【請求項７】
画像、音声、文字の少なくとも１つを用いて、前記人物に通知を行う通知部をさらに有し、
前記制御部は、前記オブジェクトの立体的な形状を解析するための複数のオブジェクトの画像を得るために、前記通知部により、前記オブジェクトを回転させる指示を通知する請求項６に記載の情報処理装置。
【請求項８】
前記制御部は、前記オブジェクトの立体的な形状を解析するための複数のオブジェクトの画像を得るためには、前記オブジェクトの回転量が足りない場合、前記オブジェクトをさらに回転させる指示を通知する請求項７に記載の情報処理装置。
【請求項９】
前記オブジェクトに搭載されたＩＣチップと近距離通信を行う通信部をさらに有する請求項７又は請求項８に記載の情報処理装置。
【請求項１０】
前記通知部は、前記オブジェクトを回転させる指示を通知した後に、前記オブジェクトを前記通信部に近づけさせる指示を通知する請求項９に記載の情報処理装置。
【請求項１１】
前記オブジェクトが前記通信部に近づけられた後に、前記制御部は、前記通知部により、前記オブジェクトを回転させる指示を通知する請求項９に記載の情報処理装置。
【請求項１２】
前記個人情報は、前記通信部により前記ＩＣチップから読み取られる情報、又は前記ＩＣチップから読み取られた情報により特定される情報である請求項９から請求項１１の何れか１項に記載の情報処理装置。
【請求項１３】
撮影している前記オブジェクト及び前記人物の画像を画面に表示する表示部をさらに有し、
前記通知部は、前記表示部の画面中の予め定められた領域に前記人物及び前記オブジェクトの少なくとも一方が映っていない場合、前記予め定められた領域に映すための指示を通知する請求項７から請求項１２の何れか１項に記載の情報処理装置。
【請求項１４】
撮影している前記オブジェクト及び前記人物の画像を画面に表示する表示部をさらに有し、
前記通知部は、前記表示部の画面中の予め定められた領域に複数の人物又は複数のオブジェクトが映っている場合、前記予め定められた領域に単一の人物又は単一のオブジェクトを映すための指示を通知する請求項７から請求項１２の何れか１項に記載の情報処理装置。
【請求項１５】
オブジェクトに搭載されたＩＣチップから取得した個人を識別する個人情報と、撮影された画像データとを取得する取得ステップと、
取得した前記画像データを解析し、当該画像データに、人物とＩＣチップが搭載されたオブジェクトとの両方が含まれている場合、前記ＩＣチップから取得した前記個人情報と、当該画像データを解析した解析結果とを照合する制御を行い、前記画像データに、人物とＩＣチップが搭載されたオブジェクトとの少なくともいずれか一方が含まれていない場合、前記個人情報と、当該画像データを解析した解析結果とを照合する処理を行わない制御ステップと、
を有する情報処理プログラム。
【発明の詳細な説明】
【技術分野】
【０００１】
本発明は、情報処理装置、及び情報処理プログラムに関する。
【背景技術】
【０００２】
特許文献１には、顔画像データを記憶した記憶手段を備えたＩＣカードを認証する認証システムであって、前記ＩＣカードは、予め指定した暗証番号、或いは当該暗証番号に対応するデータを暗号化キーとしてデータが暗号化されたものであり、認証対象者の顔を撮像する撮像手段と、前記ＩＣカードとの間で電磁波を送受信するアンテナと、前記アンテナを介して送受信される電磁波に基づいて前記ＩＣカードを捕捉する捕捉手段と、前記捕捉手段によって捕捉された前記ＩＣカードから前記顔画像データを読み取る読取手段と、前記撮像手段によって得られた前記認証対象者の顔の撮像画像と、前記読取手段によって読み取られた前記顔画像データとを照合する照合手段と、前記照合手段による照合結果を出力する出力手段と、を備え、前記撮像手段は、前記捕捉手段が前記ＩＣカードを捕捉した後、前記認証対象者の顔を撮像する構成であり、前記読取手段は、前記撮像手段が前記認証対象者の顔を撮像した後に、前記暗証番号を取得し、前記暗証番号に基づいて前記ＩＣカードのデータを解読し、解読が成功した場合に前記ＩＣカードに記憶された前記顔画像データを取得することを特徴とするＩＣカードの認証システムが開示されている。
【先行技術文献】
【特許文献】
【０００３】
【特許文献１】特開２０１２−０６８９２４号公報
【発明の概要】
【発明が解決しようとする課題】
【０００４】
近年では、スマートフォン等のユーザ端末で、運転免許証等のオブジェクトを用いて、本人であることの確認を行うサービスもある。ユーザ端末を使用する場合、公の場での認証にならない場合があり、人物を認証する書類等に様々な偽装が行われる可能性がある。
【０００５】
本開示は、ＩＣチップから取得される個人情報を用いた処理を行うのに際し、取得した撮影画像に人物とＩＣチップが搭載されたオブジェクトとの両方が含まれているか否かによらず処理を進める場合に比べて、オブジェクトの信頼性を高めることを目的とする。
【課題を解決するための手段】
【０００６】
第１の態様の情報処理装置は、オブジェクトに搭載されたＩＣチップから取得した個人を識別する個人情報と、撮影された画像データとを取得する取得部と、取得部により取得した画像データを解析し、当該画像データに、人物とＩＣチップが搭載されたオブジェクトとの両方が含まれている場合、ＩＣチップから取得した個人情報と、当該画像データを解析した解析結果とを照合する制御を行い、画像データに、人物とＩＣチップが搭載されたオブジェクトとの少なくともいずれか一方が含まれていない場合、個人情報と、当該画像データを解析した解析結果とを照合する処理を行わない制御部と、を有する。
【０００７】
第２の態様の情報処理装置は、オブジェクトは、人物の画像を含み、個人情報は、予め登録された人物の画像を含み、制御部は、照合として、個人情報に含まれる予め登録された人物の画像と、オブジェクトに含まれる人物の画像とが対応するか否かを確認する。
【０００８】
第３の態様の情報処理装置は、オブジェクトは、文字を含み、個人情報は、予め登録された文字を含み、制御部は、照合として、個人情報に含まれる予め登録された文字と、画像データを解析して得られるオブジェクトに含まれる文字とが対応するか否かを確認する。
【０００９】
第４の態様の情報処理装置は、オブジェクトは、形状を有し、個人情報は、予め登録された形状の情報を有し、制御部は、照合として、個人情報に含まれる予め登録された形状の情報と、オブジェクトの形状とが対応するか否かを確認する。
【００１０】
第５の態様の情報処理装置は、形状は、形、色、及び模様の少なくとも１つを含む。
【００１１】
第６の態様の情報処理装置は、制御部は、異なる角度から撮影された複数の前記オブジェクトの画像を用いて、前記オブジェクトの立体的な形状を解析する。
【００１２】
第７の態様の情報処理装置は、画像、音声、文字の少なくとも１つを用いて、人物に通知を行う通知部をさらに有し、制御部は、オブジェクトの立体的な形状を解析するための複数のオブジェクトの画像を得るために、通知部により、オブジェクトを回転させる指示を通知する。
【００１３】
第８の態様の情報処理装置は、制御部は、オブジェクトの立体的な形状を解析するための複数のオブジェクトの画像を得るためには、オブジェクトの回転量が足りない場合、オブジェクトをさらに回転させる指示を通知する。
【００１４】
第９の態様の情報処理装置は、オブジェクトに搭載されたＩＣチップと近距離通信を行う通信部をさらに有する。
【００１５】
第１０の態様の情報処理装置は、通知部は、オブジェクトを回転させる指示を通知した後に、オブジェクトを通信部に近づけさせる指示を通知する。
【００１６】
第１１の態様の情報処理装置は、オブジェクトが通信部に近づけられた後に、制御部は、通知部により、オブジェクトを回転させる指示を通知する。
【００１７】
第１２の態様の情報処理装置は、個人情報は、通信部により前記ＩＣチップから読み取られる情報、又は前記ＩＣチップから読み取られた情報により特定される情報である。
【００１８】
第１３の態様の情報処理装置は、撮影しているオブジェクト及び人物の画像を画面に表示する表示部をさらに有し、通知部は、表示部の画面中の予め定められた領域に人物及びオブジェクトの少なくとも一方が映っていない場合、予め定められた領域に映すための指示を通知する。
【００１９】
第１４の態様の情報処理装置は、撮影しているオブジェクト及び人物の画像を画面に表示する表示部をさらに有し、通知部は、表示部の画面中の予め定められた領域に複数の人物又は複数のオブジェクトが映っている場合、予め定められた領域に単一の人物又は単一のオブジェクトを映すための指示を通知する。
【００２０】
第１５の態様の情報処理プログラムは、オブジェクトに搭載されたＩＣチップから取得した個人を識別する個人情報と、撮影された画像データとを取得する取得ステップと、
取得した画像データを解析し、当該画像データに、人物とＩＣチップが搭載されたオブジェクトとの両方が含まれている場合、ＩＣチップから取得した個人情報と、当該画像データを解析した解析結果とを照合する制御を行い、画像データに、人物とＩＣチップが搭載されたオブジェクトとの少なくともいずれか一方が含まれていない場合、個人情報と、当該画像データを解析した解析結果とを照合する処理を行わない制御ステップと、をコンピュータに実行させる。
【発明の効果】
【００２１】
第１の態様の情報処理装置及び第１５の態様の情報処理プログラムによれば、人物を認証するためのオブジェクトの信頼性を高めることができる。
【００２２】
第２の態様の情報処理装置によれば、個人情報とオブジェクトに表される人物の画像とを照合した照合結果を用いて認証できる。
【００２３】
第３態様の情報処理装置によれば、個人情報とオブジェクトに表される文字とを照合した照合結果を用いて認証できる。
【００２４】
第４の態様の情報処理装置１よれば、個人情報に含まれる形状の情報とオブジェクトの形状とを照合した照合結果を用いて認証できる。
【００２５】
第５の態様の情報処理装置によれば、オブジェクトの形、色、模様の少なくとも１つを取得できる。
【００２６】
第６の態様の情報処理装置によれば、異なる角度で撮影されたオブジェクトの画像を用いて認証できる。
【００２７】
第７の態様の情報処理装置によれば、人物の動きを誘導し、オブジェクトの立体的な形状を取得できる。
【００２８】
第８の態様の情報処理装置によれば、オブジェクトを十分に回転させ、確実にオブジェクトの三次元の形状を解析できる。
【００２９】
第９の態様の情報処理装置によれば、情報処理装置に通信部を設けられる。
【００３０】
第１０の態様の情報処理装置によれば、人物の動きを誘導しつつ、オブジェクトの立体的な形状を取得してから個人情報を取得することができる。
【００３１】
第１１の態様の情報処理装置によれば、人物の動きを誘導しつつ、個人情報を取得してからオブジェクトの立体的な形状を取得することができる。
【００３２】
第１２の態様の情報処理装置によれば、個人情報をＩＣチップから取得できる。
【００３３】
第１３の態様の情報処理装置によれば、人物により自身及びオブジェクトの位置を確認しつつ、適切に配置することを可能とする。
【００３４】
第１４の態様の情報処理装置によれば、認証の対象となる人物及びオブジェクトを単一に特定可能とする。
【図面の簡単な説明】
【００３５】
【図１】各実施形態に係る人物の認証の説明に供する情報処理装置の一例を模式的に示す模式図である。
【図２】各実施形態に係る情報処理装置のハードウェア構成の一例を示すブロック図である。
【図３】第１実施形態に係る情報処理装置の機能的な構成の一例を示すブロック図である。
【図４】第１実施形態に係る情報処理装置の人物及びオブジェクトの撮影処理の一例を示す概略図である。
【図５】第１実施形態に係る認証処理の一例を示すフローチャートである。
【図６】第２実施形態に係る情報処理装置の人物及びオブジェクトの撮影処理の一例を示す概略図である。
【図７】第２実施形態に係る情報処理装置のオブジェクトの撮影処理の一例を示す概略図である。
【図８】第２実施形態に係る認証処理の一例を示すフローチャートである。
【図９】各実施形態に係る人物及びオブジェクトの撮影処理の一例を示すフローチャートである。
【図１０】第２実施形態に係るオブジェクトの撮影処理の一例を示すフローチャートである。
【図１１】第３実施形態に係る情報処理装置の機能的な構成の一例を示すブロック図である。
【図１２】第３実施形態に係る情報処理装置の人物及びオブジェクト撮影処理の一例を示す概略図である。
【図１３】第３実施形態に係る情報処理装置のオブジェクトの撮影処理の一例を示す概略図である。
【図１４】第３実施形態に係る認証処理の一例を示すフローチャートである。
【図１５】第３実施形態に係るオブジェクトの撮影処理の一例を示すフローチャートである。
【発明を実施するための形態】
【００３６】
［第１実施形態］
以下、図面を参照して、本開示の技術を実施するための形態例を詳細に説明する。なお、本実施形態に係る情報処理装置１は、撮影装置４によって撮影された画像を表示するモニタ１１、及びＩＣチップから情報を取得する近距離通信部１２を搭載している形態について説明する。しかし、これに限定されない。情報処理装置は、別の場所に設置されている近距離通信部１２から情報を取得し、表示する画像を別の場所に設置されているモニタに送信する形態としてよい。なお、カメラは、静止画像を撮影してもよいし、複数の静止画像を連続して撮影することにより得られる動画を撮影してもよい。以下では、カメラが動画を撮影する場合を例示する。カメラにより撮影された複数の静止画像は、連続して再生されることにより、動く画像、すなわち動画として認知される。
【００３７】
図１は、各実施形態に係る人物２の認証の説明に供する情報処理装置の一例を模式的に示す模式図である。情報処理装置１は、モニタ１１、及び近距離通信部１２を備えている。
【００３８】
人物２が所持するオブジェクト３には、ＩＣチップ（Ｉｎｔｅｇｒａｔｅｄ  Ｃｉｒｃｕｉｔ）が搭載されており、ＩＣチップには、個人を識別するための人物２の個人情報、又は外部のデータベースに記憶されている人物２の個人情報にアクセスするために必要な情報が記憶されている。個人情報には、例えば、氏名、生年月日、住所、ＩＤ番号、人物２を撮影して予め登録された画像、及びオブジェクト３を撮影して予め登録された画像等が含まれる。
【００３９】
モニタ１１は、後述する撮影装置４が撮影した人物２及びオブジェクト３の画像、人物２に通知を行うための文字、及び画像等を表示する。モニタ１１は、画像を表示できる限りいかなる装置であってもよい。モニタ１１は、例えば、液晶モニタ、ＣＲＴ（Ｃａｔｈｏｄｅ  Ｒａｙ  Ｔｕｂｅ）モニタ、ＦＰＤ（Ｆｌａｔ  Ｐａｎｅｌ  Ｄｉｓｐｌａｙ）モニタ等である。
【００４０】
近距離通信部１２は、オブジェクト３に搭載されているＩＣチップに電波を送信することで、近距離で無線通信を行い、ＩＣチップから情報を取得する。なお、近距離通信部１２は、を書き込む機能をさらに備えてもよい。なお、本実施形態に係る近距離通信部１２は、モニタ１１の下方に設けている形態を例示している。しかし、これに限定されない。例えば、モニタ１１の上方及び側方等に設ける形態であってもよい。
【００４１】
撮影装置４は、モニタ１１と向かい合っている人物２及びオブジェクト３を撮影するために、情報処理装置１の上方に設置されている。なお、本実施形態に係る撮影装置４は、情報処理装置１とは別体として設けられている形態について説明する。しかし、これに限定されない。撮影装置４は、情報処理装置１に搭載されていてもよい。また、本実施形態に係る撮影装置４は、情報処理装置１の上方に設置されている形態について説明する。しかし、これに限定されない。人物２を撮影できれば、環境等に応じて、いかなる方向に設置してもよい。例えば、情報処理装置１の側方及び下方に設置してもよいし、人物２の鉛直軸方向の上方から撮影するように設置してもよいし、人物２の側方から撮影するように設置してもよい。
【００４２】
図２は、各実施形態に係る情報処理装置１のハードウェア構成の一例を示すブロック図である。図２に示すように、本実施形態に係る情報処理装置１は、モニタ１１、近距離通信部１２、ＣＰＵ（Ｃｅｎｔｒａｌ  Ｐｒｏｃｅｓｓｉｎｇ  Ｕｎｉｔ）１３、ＲＯＭ（Ｒｅａｄ  Ｏｎｌｙ  Ｍｅｍｏｒｙ）１４、ＲＡＭ（Ｒａｎｄｏｍ  Ａｃｃｅｓｓ  Ｍｅｍｏｒｙ）１５、ストレージ１６、通信インターフェース（通信Ｉ／Ｆ）１７、及びスピーカ１８を含んで構成されている。モニタ１１、近距離通信部１２、ＣＰＵ１３、ＲＯＭ１４、ＲＡＭ１５、ストレージ１６、通信Ｉ／Ｆ１７、及びスピーカ１８の各々はバス１９により相互に接続されている。
【００４３】
ＣＰＵ１３は、情報処理装置１の全体を統括し、制御する。ＲＯＭ１４は、各実施形態で用いる情報処理プログラムを含む各種プログラム及びデータ等を記憶している。ＲＡＭ１５は、各種プログラムの実行時のワークエリアとして用いられるメモリである。ＣＰＵ１３は、ＲＯＭ１４に記憶されたプログラムをＲＡＭ１５に展開して実行することにより、人物２及びオブジェクト３の認証を行う。ストレージ１６は、一例としてＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、又はフラッシュメモリ等である。なお、ストレージ１６には、情報処理プログラム等を記憶してもよい。通信Ｉ／Ｆ１７は、データの送受信を行う。スピーカ１８は、音声の出力を行う。
【００４４】
オブジェクト３は、アンテナ３１、及びＩＣチップ３２を有する。アンテナ３１は、近距離通信部１２から受信した電波に応じて、近距離通信部１２から情報の受信、及びデータの送信を行う。ＩＣチップ３２は、人物２の個人情報、又は人物２を一意に特定できる情報（以下、「対象者キー」という。）を記憶している。本実施形態では、一例として、ＩＣチップ３２は、個人情報を記憶している形態について説明する。
【００４５】
撮影装置４は、通信Ｉ／Ｆ４１、及びカメラ４２を有する。通信Ｉ／Ｆ４１は、カメラ４２によって撮影された画像データ等の送受信を行う。カメラ４２は、人物２及びオブジェクト３を撮影する。なお、本実施形態に係るカメラ４２は、単眼カメラを例示して説明する。しかし、これに限定されない。カメラ４２は、他の形態のカメラ、例えばステレオカメラ等であってもよい。
【００４６】
次に、情報処理装置１の機能構成について説明する。図３は、第１実施形態に係る情報処理装置１の機能的な構成の一例を示すブロック図である。
【００４７】
図３に示すように、情報処理装置１は、通信部１０１、取得部１０２、制御部１０３、表示部１０４、及び通知部１０５を有する。ＣＰＵ１３が情報処理プログラムを実行することで、通信部１０１、取得部１０２、制御部１０３、表示部１０４、及び通知部１０５として機能する。
【００４８】
通信部１０１は、オブジェクトに搭載されたＩＣチップ３２と近距離通信を行う。具体的には、通信部１０１は、オブジェクト３のアンテナ３１に電波を送信し、オブジェクト３のＩＣチップ３２に記憶されている個人情報、または外部のデータベースに記憶されている人物２の個人情報にアクセスするために必要な情報を受信する。また、通信部１０１は、外部のサーバ及び端末等にデータの送受信を行う。
【００４９】
取得部１０２は、オブジェクト３に搭載されたＩＣチップ３２から取得される個人を識別するための個人情報と、撮影された複数の画像を示す画像データとを取得する。具体的には、取得部１０２は、通信部１０１を介して、オブジェクト３から個人情報と、撮影装置４によって撮影された人物２及びオブジェクト３の画像データとを取得する。
【００５０】
制御部１０３は、取得部１０２により取得した画像データを解析し、当該画像データに、人物２とＩＣチップが搭載されたオブジェクト３との両方が含まれている場合、ＩＣチップから取得した個人情報と、当該画像データを解析した解析結果とを照合する。また、制御部１０３は、画像データに、人物２とＩＣチップが搭載されたオブジェクト３との少なくともいずれか一方が含まれていない場合、個人情報と、当該画像データを解析した解析結果とを照合する処理を行わない。また、制御部１０３は、照合として、個人情報に含まれる予め登録されたオブジェクト３の形状と、取得部１０２が取得した画像データに含まれるオブジェクト３の形状とが対応するか否かを確認する。
【００５１】
表示部１０４は、撮影しているオブジェクト３及び人物２の画像を画面に表示する。また、表示部１０４は、人物２及びオブジェクト３を配置するための予め定められた領域を表示する。
【００５２】
通知部１０５は、音声、画像、及び文字の少なくとも１つを用いて、人物２に通知を行う。
【００５３】
次に、情報処理装置１の作用について説明する前に、図４を参照して、情報処理装置１が行う人物２を照合するための手法について説明する。まず、図４を参照して、人物２及びオブジェクト３を撮影する場合について説明する。図４は、第１実施形態に係る情報処理装置１の人物２及びオブジェクト３の撮影処理の一例を示す概略図である。
【００５４】
オブジェクト３は、文字、人物２の画像、及び形状の少なくとも１つを有し、個人情報は、予め登録された文字、人物の画像、及びオブジェクト３の形状の情報の少なくとも１つを有する。また、オブジェクト３の形状は、形、色、及び模様の少なくとも１つを含む。
【００５５】
照合方法として、制御部１０３は、個人情報に含まれる文字、人物の画像、及び形状の情報の少なくとも１つの情報と、画像データを解析して得られる文字、人物２の画像、及び形状の少なくとも１つの情報とが対応するか否かを照合する。ここで、対応とは、個人情報に含まれる情報と、画像データを解析して得られる情報とが、同一であると推定されることである。カメラの映り方等によっては、画像データを解析して得られる情報が個人情報に含まれる情報には完全一致しない。しかし、個人情報に含まれる情報と、画像データを解析して得られる情報とが、同一であると推定される程度一致すれば、対応していると判断される。また、画像データを解析する手段として、例えば、画像データに映っている人物２及びオブジェクト３の目、鼻、口、輪郭、及び色等の特徴を特徴点として抽出する方法がある。つまり、取得した画像データから抽出した特徴点と、予め登録されている画像データの特徴点を比較することで、取得した画像データと、予め登録されている画像データとを照合することができる。
【００５６】
本実施形態では、一例として、オブジェクト３は、ＩＣチップ３２を搭載した物品（例えば、キーホルダー等）であり、個人情報は、予め登録されているオブジェクト３の形状の情報である形態について説明する。
【００５７】
図４に示すように、情報処理装置１に含まれる表示部１０４は、撮影装置４が撮影している人物２、オブジェクト３、人物２を配置する予め定められた領域５１、及びオブジェクト３を配置する予め定められた領域５２を表示する。
【００５８】
人物２及びオブジェクト３を撮影する場合、通知部１０５は、領域５１に人物２を配置し、領域５２にオブジェクト３を配置する旨を通知する。取得部１０２は、人物２及びオブジェクト３を撮影した画像データを取得する。制御部１０３は、取得部１０２が取得した画像データを解析し、人物２が予め定められた領域５１に収まり、かつオブジェクト３が予め定められた領域５２に収まっているか否かにより、人物２及びオブジェクト３が認識できるか否かの判定を行う。
【００５９】
制御部１０３は、人物２及びオブジェクト３が認識できた場合、個人情報を取得し、個人情報に含まれるオブジェクト３の形状の情報と、取得部１０２が取得した画像データに含まれるオブジェクト３の形状との照合を行う。また、人物２が予め定められた領域５１に収まっていない、又はオブジェクト３が予め定められた領域５２に収まっておらず、人物２又はオブジェクト３が認識できなかった場合、取得部１０２は、人物２及びオブジェクト３の画像データを取得する。
【００６０】
具体的には、人物２及びオブジェクト３が認識できた場合、制御部１０３は、オブジェクト３に搭載されたＩＣチップ３２から個人情報を取得する。また、制御部１０３は、個人情報に含まれるオブジェクト３の形状の情報と、取得部１０２が取得した画像データに含まれるオブジェクト３の形状とを照合する。照合した結果、オブジェクト３の形状が同一であると認められる場合、通信部１０１は、取得した個人情報及び画像データを離れた場所に設置してある端末又はサーバに送信する。また、人物２及びオブジェクト３の少なくとも一方が認識できなかった場合、人物２及びオブジェクト３を再度撮影する。
【００６１】
なお、本実施形態では、人物２及びオブジェクト３の少なくとも一方が認識できなかった場合、人物２及びオブジェクト３を再度撮影する。しかし、これに限定されない。再度撮影する場合、人物２又はオブジェクト３のうち認識できなかった一方のみを撮影する形態としてもよい。例えば、人物２及びオブジェクト３を撮影した際に、オブジェクト３が予め定められた領域５１からはみ出し、認識できなかった場合、オブジェクト３のみを再度撮影する。再度撮影したオブジェクト３と、最初に撮影したオブジェクト３とが同一であると認められる場合、オブジェクト３が認識できたとして、最初に撮影した人物２及び再度撮影したオブジェクト３の画像データを送信してもよい。
【００６２】
また、人物２及びオブジェクト３の少なくとも一方が認識できなかった場合、個人情報を利用する処理を行わない形態としてもよい。例えば、人物２及びオブジェクト３の少なくとも一方が認識できなかった場合、個人情報を取得する処理を行わずに撮影した画像データを情報処理装置１のストレージに記憶する、又は撮影した画像を別の場所に設置されているサーバ等に送信する形態としてもよい。
【００６３】
次に、図５を参照して、本実施形態に係る情報処理プログラムの作用について説明する。図５は、第１実施形態に係る認証処理の一例を示すフローチャートである。ＣＰＵ１３がＲＯＭ１４又はストレージ１６から情報処理プログラムを読み出し、実行することによって、図５に示す認証処理が実行される。図５に示す認証処理は、例えば、ユーザが情報処理装置１を起動した場合、情報処理プログラムの実行指示が入力され、認証処理が実行される。
【００６４】
ステップＳ１０１において、ＣＰＵ１３は、認証を開始するか否かの判定を行う。認証を開始する場合（ステップＳ１０１：ＹＥＳ）、ＣＰＵ１３は、ステップＳ１０２に移行する。一方、認証を開始しない場合（ステップＳ１０１：ＮＯ）、ＣＰＵ１３は、認証を開始するまで待機する。
【００６５】
ステップＳ１０２において、ＣＰＵ１３は、撮影装置４により、人物２及びオブジェクト３を撮影し、画像を取得する。
【００６６】
ステップＳ１０３において、ＣＰＵ１３は、人物２及びオブジェクト３の画像データの解析を行い、人物２の顔に関する情報と、オブジェクト３の形状に関する情報とを取得する。
【００６７】
ステップＳ１０４において、ＣＰＵ１３は、画像データを解析した結果、予め定められた領域に人物２及びオブジェクト３が映っているか否かの判定をする。人物２及びオブジェクト３が映っている場合（ステップＳ１０４：ＹＥＳ）、ＣＰＵ１３は、ステップＳ１０５に移行する。一方、人物２又はオブジェクト３が映っていない場合（ステップＳ１０４：ＮＯ）、ＣＰＵ１３は、ステップＳ１０２に移行する。
【００６８】
ステップＳ１０５において、ＣＰＵ１３は、オブジェクト３と近距離通信を行い、オブジェクト３に搭載されているＩＣチップ３２から個人情報を取得する。
【００６９】
ステップＳ１０６において、ＣＰＵ１３は、人物２及びオブジェクト３の画像データに含まれるオブジェクト３の形状と、個人情報に含まれるオブジェクト３の形状の情報とを照合する。
【００７０】
ステップＳ１０７において、ＣＰＵ１３は、照合結果が一致するか否かの判定を行う。照合結果が一致する場合（ステップＳ１０７：ＹＥＳ）、ＣＰＵ１３は、ステップＳ１０８に移行する。照合結果が一致しない場合（ステップＳ１０７：ＮＯ）、ＣＰＵ１３は、ステップＳ１０９に移行する。
【００７１】
ステップＳ１０８において、ＣＰＵ１３は、予め定められた処理として、人物２及びオブジェクト３の画像データと、個人情報とを送信し、認証処理を終了する。
【００７２】
ステップＳ１０９において、ＣＰＵ１３は、照合結果が一致しない旨を通知する。
【００７３】
以上説明したように、本実施形態によれば、人物２及びオブジェクト３を撮影した画像データを解析し、人物２及びオブジェクト３が認識された場合、個人情報を取得する処理を行う。また、情報処理装置１は、オブジェクト３に搭載されているＩＣチップ３２から個人情報を取得し、個人情報に含まれるオブジェクト３の形状の情報と、画像データから取得したオブジェクト３の形状と、を照合する。したがって、人物を認証するオブジェクト３の信頼性を高めることができる。
［第２実施形態］
第１実施形態では、撮影されたオブジェクト３の画像データと、個人情報に含まれるオブジェクト３の形状の情報を照合する形態について説明した。本実施形態では、オブジェクト３は立体的な形状を有しており、情報処理装置１は、オブジェクト３の立体的な形状を照合する形態について説明する。なお、本実施形態に係る情報処理装置１の構成（図１参照）、及び情報処理装置１のハードウェア構成（図２参照）は、第１実施形態と同様であるため、説明を省略する。
【００７４】
まず、図３を参照して、情報処理装置１の機能構成について説明する。第２実施形態においては、制御部１０３及び通知部１０５の機能が、第１実施形態と異なる。従って、制御部１０３及び通知部１０５についてのみ説明する。
【００７５】
制御部１０３は、取得部１０２により取得した画像データを解析し、当該画像データに、人物２とＩＣチップが搭載されたオブジェクト３との両方が含まれている場合、ＩＣチップから取得した個人情報と、当該画像データを解析した解析結果とを照合する。また、制御部１０３は、画像データに、人物２とＩＣチップが搭載されたオブジェクト３との少なくともいずれか一方が含まれていない場合、個人情報と、当該画像データを解析した解析結果とを照合する処理を行わない。また、制御部１０３は、異なる角度から撮影された複数のオブジェクト３の画像を用いて、オブジェクト３の立体的な形状を解析し、照合として、個人情報に含まれる予め登録された形状の情報と、オブジェクト３の立体的な形状とが対応するか否かを確認する。
【００７６】
通知部１０５は、音声、画像、及び文字の少なくとも１つを用いて、人物２に通知を行う。また、通知部１０５は、表示部１０４の画面中に予め定められた領域に人物２及びオブジェクト３の少なくとも一方が映っていない場合、予め定められた領域に映すための指示を通知する。また、通知部１０５は、表示部１０４の画面中の予め定められた領域に複数の人物２又は複数のオブジェクト３が映っている場合、予め定められた領域に単一の人物２又は単一のオブジェクト３を映すための指示を通知する。
【００７７】
また、制御部１０３は、オブジェクト３の立体的な形状を解析するための複数のオブジェクト３の画像を得るために、通知部１０５により、オブジェクト３を回転させる指示を通知する。また、通知部１０５は、オブジェクト３を回転させる指示を通知した後に、オブジェクト３を通信部１０１に近づけさせる指示を通知する。また、制御部１０３は、オブジェクト３の立体的な形状を解析するための複数のオブジェクトの画像を得るためには、オブジェクトの回転量が足りない場合、オブジェクト３をさらに回転させる通知をする。
【００７８】
なお、本実施形態では、撮影装置４は、人物２の正面の画像を撮影する形態について説明する。しかし、これに限定されない。撮影装置４は、複数箇所に設置され、人物２の正面及び側面の画像を撮影し、正面及び側面を撮影した画像からオブジェクト３の立体的な形状を解析してもよい。また、本実施形態では、オブジェクト３を回転させる指示を通知した後に、オブジェクト３を通信部１０１に近づける指示を通知する形態について説明した。しかし、これに限定されない。オブジェクト３が通信部１０１に近づけられた後に、オブジェクト３を回転させる指示を通知してもよい。
【００７９】
次に、情報処理装置１の作用について説明する前に、図６、７を参照して、情報処理装置１が行う人物２を照合するための手法について説明する。まず、図６を参照して、オブジェクト３を回転させる通知をする前の人物２及びオブジェクト３を撮影する場合について説明する。図６は、第２実施形態に係る情報処理装置１の人物２及びオブジェクト３の撮影処理の一例を示す概略図である。なお、図６に示す情報処理装置１は、図４に示す情報処理装置１と同様であるため、同一の符号を付して、その説明を省略する。
【００８０】
本実施形態では、一例として、オブジェクト３は、ＩＣチップ３２を搭載した立体的な形状を有する物品（例えば、キーホルダー等）であり、個人情報は、予め登録されている人物の画像、及びオブジェクト３の形状の情報である形態について説明する。
【００８１】
図６に示すように、情報処理装置１に含まれる表示部１０４は、撮影装置４が撮影している人物２、オブジェクト３、人物２を配置する予め定められた領域５１、及びオブジェクト３を配置する予め定められた領域５２を表示する。
【００８２】
人物２及びオブジェクト３を撮影する場合、通知部１０５は、領域５１に人物２を配置し、領域５２にオブジェクト３を配置する旨を通知する。また、通知部１０５は、人物２及びオブジェクト３の画像が取得できなかった場合、通知部１０５に画像が取得できなかった旨を通知させる。
【００８３】
具体的には、通知部１０５は、領域５１に人物２、及び領域５２にオブジェクト３の少なくとも一方が配置されていない場合、領域５１に人物２、及び領域５２にオブジェクト３を配置する旨を通知する。また、通知部１０５は、領域５１に複数の人物２、又は領域５２に複数のオブジェクト３が配置されている場合、領域５１に単一の人物２、及び領域５２に単一のオブジェクト３を配置する旨を通知する。また、通知部１０５は、人物２が領域５１内に収まっていない場合、又はオブジェクト３が領域５２内に収まっていない場合、人物２を領域５１内、又はオブジェクト３を領域５２内に収まるように配置する旨を通知する。
【００８４】
次に、図７を参照して、オブジェクト３の外観を撮影する場合について説明する。図７は、第２実施形態に係る情報処理装置１のオブジェクト３の撮影処理の一例を示す概略図である。
【００８５】
図７に示すように、情報処理装置１に含まれる表示部１０４は、撮影装置４が撮影している人物２、オブジェクト３、人物２を配置する予め定められた領域５１、及びオブジェクト３を配置する予め定められた領域５２を表示する。
【００８６】
通知部１０５は、人物２に対して、オブジェクト３を回転させる旨の通知を行う。また、通知部１０５は、オブジェクト３の立体的な形状を取得できない場合、オブジェクト３をさらに回転させる旨を通知する。また、通知部１０５は、画像が取得できなかった場合、画像が取得できなかった旨を通知する。
【００８７】
制御部１０３は、オブジェクト３の回転により、オブジェクト３の三次元的な外観を撮影した画像を取得した場合、人物２及びオブジェクト３を撮影した画像、及びオブジェクト３を撮影した画像の解析を行う。また、通知部１０５は、オブジェクト３を近距離通信部１２に近づける旨を通知する。
【００８８】
取得部１０２は、オブジェクト３から個人情報を取得し、制御部１０３は、撮影装置４によって撮影された人物２及びオブジェクト３の画像と、オブジェクト３の画像と、個人情報とを照合し、人物２の認証を行う。
【００８９】
照合方法として、制御部１０３は、オブジェクト３を撮影した画像データを解析して、オブジェクト３の立体的な形状を取得する。また、制御部１０３は、オブジェクト３に搭載されているＩＣチップ３２から取得した個人情報と、オブジェクト３の立体的な形状とを照合する。
【００９０】
また、制御部１０３は、人物２及びオブジェクト３を撮影した画像を解析して、取得した人物２の顔画像と、個人情報から取得した人物の画像とを照合する。
【００９１】
上述した照合結果が一致した場合、制御部１０３は、取得した人物２及びオブジェクト３の画像データ、オブジェクト３の外観の画像データ、及びオブジェクト３から取得した個人情報を離れた場所に設置してある端末又はサーバに送信する。
【００９２】
なお、本実施形態では、人物２及びオブジェクト３の画像データ、オブジェクト３の外観の画像データ、及び個人情報の順番で、画像データ及び情報を取得する形態について説明した。しかし、これに限定されない。個人情報を取得してからオブジェクト３の画像データと、人物２及びオブジェクト３の画像データとを取得する等、画像データ及び情報を取得する順番を入れ替えてもよい。
【００９３】
次に、図８、９、１０を参照して、第２実施形態に係る情報処理プログラムの作用について説明する。まず、図８は、第２実施形態に係る認証処理の一例を示すフローチャートである。ＣＰＵ１３がＲＯＭ１４又はストレージ１６から情報処理プログラムを読み出し、実行することによって、図８に示す認証処理が実行される。図８に示す認証処理は、例えば、ユーザが情報処理装置１を起動した場合、情報処理プログラムの実行指示が入力され、認証処理が実行される。
【００９４】
なお、図８における図５に示す情報処理装置１の機能と同一の構成要素については、図５と同一の符号を付して、その説明を省略する。
【００９５】
ステップＳ１１１において、ＣＰＵ１３は、撮影装置４により、人物２及びオブジェクト３を撮影し、画像データを取得する。詳細については、図９を参照して、後述する。
【００９６】
ステップＳ１１２において、ＣＰＵ１３は、撮影装置４により、オブジェクト３の外観を撮影し、画像データを取得する。詳細については、図１０を参照して、後述する。
【００９７】
ステップＳ１１３において、ＣＰＵ１３は、人物２及びオブジェクト３の画像データと、オブジェクト３の外観の画像データとの解析を行い、人物２の顔に関する情報と、オブジェクト３の外観に関する情報とを取得する。
【００９８】
ステップＳ１１４において、ＣＰＵ１３は、通知部１０５を用いて、オブジェクト３を近距離通信部１２に近づける旨の通知を行う。
【００９９】
ステップＳ１１５において、ＣＰＵ１３は、人物２及びオブジェクト３の画像データと、オブジェクト３の外観の画像データとを解析した解析結果から取得した人物２の顔に関する情報及びオブジェクト３の立体的な形状と、個人情報とを照合する。
【０１００】
次に、図９を参照して、本実施形態に係る人物２及びオブジェクト３の撮影処理について説明する。図９は、第２実施形態に係る人物及びオブジェクトの撮影処理の一例を示すフローチャートである。ＣＰＵ１３がＲＯＭ１４又はストレージ１６から人物及びオブジェクト撮影プログラムを読み出し、実行することによって、図９に示す人物２及びオブジェクト３の撮影処理が実行される。図９に示す人物２及びオブジェクト３の撮影処理は、例えば、情報処理プログラムが人物２及びオブジェクト３の撮影処理の実行指示を行い、実行される。
【０１０１】
ステップＳ２０１において、ＣＰＵ１３は、撮影装置４から人物２及びオブジェクト３の画像データを取得する。
【０１０２】
ステップＳ２０２において、ＣＰＵ１３は、予め定められた領域に人物２及びオブジェクト３が映っているか否かの判定をする。人物２及びオブジェクト３が映っている場合（ステップＳ２０２：ＹＥＳ）、ＣＰＵ１３は、ステップＳ２０４に移行する。一方、人物２及びオブジェクト３が映っていない場合（ステップＳ２０２：ＮＯ）、ＣＰＵ１３は、ステップＳ２０３に移行する。
【０１０３】
ステップＳ２０３において、ＣＰＵ１３は、通知部１０５を用いて、人物２及びオブジェクト３を予め定められた領域に映す旨の通知を行う。
【０１０４】
ステップＳ２０４において、ＣＰＵ１３は、予め定められた領域に人物２及びオブジェクト３がそれぞれ単一で映っているか否かの判定をする。人物２及びオブジェクト３がそれぞれ単一で映っている場合（ステップＳ２０４：ＹＥＳ）、ＣＰＵ１３は、ステップＳ２０６に移行する。一方、人物２又はオブジェクト３がそれぞれ単一で映っていない場合（ステップＳ２０４：ＮＯ）、ＣＰＵ１３は、ステップＳ２０５に移行する。
【０１０５】
ステップＳ２０５において、ＣＰＵ１３は、通知部１０５を用いて、人物２、又はオブジェクト３をそれぞれ単一で映す旨の通知を行う。
【０１０６】
ステップＳ２０６において、ＣＰＵ１３は、人物２及びオブジェクト３が予め定められた領域内に収まっているか否かの判定を行う。人物２及びオブジェクト３が予め定められた領域内に収まっている場合（ステップＳ２０６：ＹＥＳ）、ＣＰＵ１３は、ステップＳ２０８に移行する。人物２、又はオブジェクト３が予め定められた領域内に収まっていない場合（ステップＳ２０６：ＮＯ）、ＣＰＵ１３は、ステップＳ２０７に移行する。
【０１０７】
ステップＳ２０７において、ＣＰＵ１３は、通知部１０５を用いて、人物２又はオブジェクト３を予め定められた領域内に収める旨の通知を行う。
【０１０８】
ステップＳ２０８において、ＣＰＵ１３は、撮影した画像をＲＡＭ１５に記憶し、撮影処理を終了する。
【０１０９】
次に、図１０を参照して、本実施形態に係るオブジェクト３の撮影処理について説明する。図１０は、第２実施形態に係るオブジェクト３の撮影処理の一例を示すフローチャートである。ＣＰＵ１３がＲＯＭ１４又はストレージ１６からオブジェクト撮影プログラムを読み出し、実行することによって、図１０にオブジェクト３の撮影処理が実行される。図１０に示すオブジェクト３の撮影処理は、例えば、情報処理プログラムがオブジェクト３の撮影処理の実行指示を行い、実行される。
【０１１０】
ステップＳ３０１において、ＣＰＵ１３は、通知部１０５を用いて、人物２にオブジェクト３を回転させる旨の通知を行う。
【０１１１】
ステップＳ３０２において、ＣＰＵ１３は、撮影装置４から人物２及びオブジェクト３の画像データを取得する。
【０１１２】
ステップＳ３０３において、ＣＰＵ１３は、予め定められた領域に人物２及びオブジェクト３が映っているか否かの判定をする。人物２及びオブジェクト３が映っている場合（ステップＳ３０３：ＹＥＳ）、ＣＰＵ１３は、ステップＳ３０５に移行する。一方、人物２及びオブジェクト３が映っていない場合（ステップＳ３０３：ＮＯ）、ＣＰＵ１３は、ステップＳ３０４に移行する。
【０１１３】
ステップＳ３０４において、ＣＰＵ１３は、通知部１０５を用いて、人物２及びオブジェクト３を予め定められた領域に映す旨の通知を行う。
【０１１４】
ステップＳ３０５において、ＣＰＵ１３は、予め定められた領域に人物２及びオブジェクト３が単一で映っているか否かの判定をする。人物２及びオブジェクト３が単一で映っている場合（ステップＳ３０５：ＹＥＳ）、ＣＰＵ１３は、ステップＳ３０７に移行する。一方、人物２又はオブジェクト３が単一で映っていない場合（ステップＳ３０５：ＮＯ）、ＣＰＵ１３は、ステップＳ３０６に移行する。
【０１１５】
ステップＳ３０６において、ＣＰＵ１３は、通知部１０５を用いて、人物２又はオブジェクト３を単一で映す旨の通知を行う。
【０１１６】
ステップＳ３０７において、ＣＰＵ１３は、人物２及びオブジェクト３が予め定められた領域内に収まっているか否かの判定を行う。人物２及びオブジェクト３が予め定められた領域内に収まっている場合（ステップＳ３０７：ＹＥＳ）、ＣＰＵ１３は、ステップＳ３０９に移行する。人物２又はオブジェクト３が予め定められた領域内に収まっていない場合（ステップＳ３０７：ＮＯ）、ＣＰＵ１３は、ステップＳ３０８に移行する。
【０１１７】
ステップＳ３０８において、ＣＰＵ１３は、通知部１０５を用いて、人物２又はオブジェクト３を予め定められた領域内に収める旨の通知を行う。
【０１１８】
ステップＳ３０９で、ＣＰＵ１３は、オブジェクト３が十分回転して、オブジェクト３の立体的な形状を取得できたか否かの判定をする。立体的な形状を取得できた場合（ステップＳ３０９：ＹＥＳ）、ＣＰＵ１３は、ステップＳ３１１に移行する。一方、立体的な形状を取得できなかった場合（ステップＳ３０９：ＮＯ）、ＣＰＵ１３は、ステップＳ３１０に移行する。
【０１１９】
ステップＳ３１０において、ＣＰＵ１３は、通知部１０５を用いて、オブジェクト３をさらに回転させる旨の通知を行う。
【０１２０】
ステップＳ３１１において、ＣＰＵ１３は、撮影した画像をＲＡＭ１５に記憶し、撮影処理を終了する。
【０１２１】
以上説明したように、本実施形態によれば、第１実施形態と同様の効果を奏することができる。
【０１２２】
［第３実施形態］
第２実施形態では、人物２が所持するオブジェクト３が立体的な形状を有し、かつ個人情報をＩＣチップ３２に記憶している形態について説明した。本実施形態では、オブジェクト３に文字及び人物の画像が付され、かつＩＣチップに対象者キーを記憶している形態について説明する。なお、本実施形態に係る情報処理装置１の構成（図１参照）、情報処理装置１のハードウェア構成（図２参照）、及び人物２及びオブジェクト３の撮影処理のフローチャート（図９参照）は、第２実施形態と同様であるため、説明を省略する。
【０１２３】
図１１を参照して、情報処理装置１の機能構成について説明する。図１１は、第３実施形態に係る情報処理装置１の機能的な構成の一例を示すブロック図である。
【０１２４】
図１１に示すように、情報処理装置１は、通信部１０１、取得部１０２、制御部１０３、表示部１０４、通知部１０５、及び記憶部１１６を有する。ＣＰＵ１３が情報処理プログラムを実行することで、通信部１０１、取得部１０２、制御部１０３、表示部１０４、通知部１０５、及び記憶部１１６として機能する。
【０１２５】
通信部１０１は、オブジェクト３と近距離通信を行い、オブジェクト３に記憶されている対象者キーを受信する。
【０１２６】
取得部１０２は、通信部１０１を介して、オブジェクト３から対象者キーを取得する。また、取得部１０２は、撮影装置４によって、撮影された人物２及びオブジェクト３の画像データを取得する。
【０１２７】
制御部１０３は、取得部１０２により取得した画像データを解析し、当該画像データに、人物２とＩＣチップが搭載されたオブジェクト３との両方が含まれている場合、ＩＣチップから取得した個人情報と、当該画像データを解析した解析結果とを照合する。また、制御部１０３は、画像データに、人物２とＩＣチップが搭載されたオブジェクト３との少なくともいずれか一方が含まれていない場合、個人情報と、当該画像データを解析した解析結果とを照合する処理を行わない。また、ＩＣチップ３２から取得される対象者キーを用いて、後述する記憶部１１６に記憶されている個人情報を取得する。制御部１０３は、記憶部１１６に記憶されている個人情報と、画像データを解析した解析結果とを照合し、個人情報と、解析結果とを照合する。照合として、制御部１０３は、個人情報に含まれる予め登録された人物の画像と、オブジェクト３に含まれる人物２の画像とが対応するか否かを確認する。また、制御部１０３は、照合として、個人情報に含まれる予め登録された文字と、画像データを解析して得られるオブジェクト３に含まれる文字とが対応するか否かを確認する。
【０１２８】
表示部１０４は、撮影しているオブジェクト３及び人物２の画像を画面に表示する。また、表示部１０４は、人物２及びオブジェクト３を配置するための予め定められた領域を表示する。
【０１２９】
通知部１０５は、音声、画像、及び文字の少なくとも１つを用いて、人物２に通知を行う。また、通知部１０５は、表示部１０４の画面中に予め定められた領域に人物２及びオブジェクト３の少なくとも一方が映っていない場合、予め定められた領域に映すための指示を通知する。また、通知部１０５は、表示部１０４の画面中の予め定められた領域に複数の人物２又は複数のオブジェクト３が映っている場合、予め定められた領域に単一の人物２又は単一のオブジェクト３を映すための指示を通知する。
【０１３０】
また、制御部１０３は、オブジェクト３に含まれる文字、及び人物の画像を得るために、通知部１０５により、オブジェクト３を撮影装置４に近づける指示を通知する。また、通知部１０５は、オブジェクト３を撮影装置４に近づける指示を通知した後に、オブジェクト３を通信部１０１に近づけさせる指示を通知する。
【０１３１】
記憶部１１６は、対象者キーを含む個人情報を記憶している。
【０１３２】
次に、情報処理装置１の作用について説明する前に、図１２、１３を参照して、情報処理装置１が行う人物２を照合するための手法について説明する。まず、図１２を参照して、人物２及びオブジェクト３を撮影する場合について説明する。図１２は、第３実施形態に係る情報処理装置１の人物２及びオブジェクト３の撮影処理の一例を示す概略図である。
【０１３３】
本実施形態では、一例として、オブジェクト３は、ＩＣチップ３２を搭載し、表面に氏名及び住所等の文字と、人物の画像とが付されたカード（例えば、運転免許証等）である。また、個人情報は、氏名及び住所等の文字と、人物の画像とが予め登録されている形態について説明する。
【０１３４】
図１２に示すように、情報処理装置１に含まれる表示部１０４は、撮影装置４が撮影している人物２、オブジェクト３、人物２を配置する予め定められた領域５１、及びオブジェクト３を配置する予め定められた領域５２を表示する。
【０１３５】
通知部１０５は、人物２に対して、表示部１０４において、領域５１に人物２を配置し、領域５２にオブジェクト３を配置する旨を通知する。また、通知部１０５は、人物２及びオブジェクト３の画像が取得できなかった場合、画像が取得できなかった旨を通知する。
【０１３６】
具体的には、通知部１０５は、領域５１に人物２、及び領域５２にオブジェクト３の少なくとも一方が配置されていない場合、領域５１に人物２、及び領域５２にオブジェクト３を配置する旨を通知する。また、通知部１０５は、領域５１に複数の人物２、又は領域５２に複数のオブジェクト３が配置されている場合、領域５１に単一の人物２、及び領域５２に単一のオブジェクト３を配置する旨を通知する。また、通知部１０５は、人物２が領域５１内に収まっていない場合、又はオブジェクト３が領域５２内に収まっていない場合、人物２を領域５１内、又はオブジェクト３を領域５２内に収まるように配置する旨を通知する。
【０１３７】
次に、図１３を参照して、オブジェクト３の外観を撮影する場合について説明する。図１３は、第３実施形態に係る情報処理装置１のオブジェクト３の撮影処理の一例を示す概略図である。
【０１３８】
図１３に示すように、情報処理装置１に含まれる表示部１０４は、撮影装置４が撮影している人物２、オブジェクト３、人物２を配置する予め定められた領域５１、及びオブジェクト３を配置する予め定められた領域５２を表示する。
【０１３９】
通知部１０５は、人物２に対して、オブジェクト３を撮影装置４に近づける旨の通知を行う。また、通知部１０５は、オブジェクト３の表面に付されている文字及び人物の画像を取得できない場合、オブジェクト３をさらに近づける旨を通知する。また、通知部１０５は、表面に付されている文字及び人物の画像が取得できなかった場合、表面に付されている文字及び人物の画像が取得できなかった旨を通知する。
【０１４０】
取得部１０２は、オブジェクト３から対象者キーを取得し、制御部１０３は、対象者キーを用いて、記憶部１１６から個人情報を取得する。また、制御部１０３は、撮影装置４によって撮影された人物２及びオブジェクト３の画像と、個人情報とを照合し、人物２の認証を行う。
【０１４１】
照合方法として、制御部１０３は、オブジェクト３を撮影した画像データを解析して、人物２の顔画像と、オブジェクト３の表面に付されている人物２の画像及び文字とを取得する。また、制御部１０３は、記憶部１１６から取得した個人情報と、オブジェクト３の表面に付されている人物２の画像及び文字とを照合する。
【０１４２】
また、制御部１０３は、人物２及びオブジェクト３を撮影した画像を解析して、取得した人物２の顔画像と、個人情報から取得した人物の画像とを照合する。
【０１４３】
上述した照合結果が一致した場合、制御部１０３は、取得した人物２及びオブジェクト３の画像データと、オブジェクト３から取得した個人情報とを離れた場所に設置してある端末又はサーバに送信する。
【０１４４】
次に、図１４、１５を参照して、本実施形態に係る情報処理プログラムの作用について説明する。まず、図１４は、第３実施形態に係る認証処理の一例を示すフローチャートである。ＣＰＵ１３がＲＯＭ１４又はストレージ１６から情報処理プログラムを読み出し、実行することによって、図１４に認証処理が実行される。図１４に示す認証処理は、例えば、ユーザが情報処理装置１を起動した場合、情報処理の実行指示が入力され、認証処理が実行される。
【０１４５】
なお、図１４における図８に示す情報処理装置１の機能と同一の構成要素については、図８と同一の符号を付して、その説明を省略する。
【０１４６】
ステップＳ１２１において、ＣＰＵ１３は、撮影装置４により、オブジェクト３の外観を撮影し、画像を取得する。詳細については、図１５を参照して、後述する。
【０１４７】
ステップＳ１２２において、ＣＰＵ１３は、オブジェクト３と近距離通信を行い、オブジェクト３に搭載されているＩＣチップ３２から対象者キーを取得する。ＣＰＵ１３は、取得した対象者キーを用いて、記憶部１１６に記憶されている個人情報を取得する。
【０１４８】
次に、図１５を参照して、本実施形態に係るオブジェクト３の撮影処理について説明する。図１５は、第３実施形態に係るオブジェクト３の撮影処理の一例を示すフローチャートである。ＣＰＵ１３がＲＯＭ１４又はストレージ１６からオブジェクト撮影プログラムを読み出し、実行することによって、図１５にオブジェクト３の撮影処理が実行される。図１５に示すオブジェクト３の撮影処理は、例えば、情報処理プログラムがオブジェクト３の撮影処理の実行指示を行い、実行される。
【０１４９】
なお、図１５における図１０に示す情報処理装置１の機能と同一の構成要素については、図１０と同一の符号を付して、その説明を省略する。
【０１５０】
ステップＳ３２１において、ＣＰＵ１３は、通知部１０５を用いて、人物２にオブジェクトを撮影装置４に近づける旨の通知を行う。
【０１５１】
ステップＳ３２２において、ＣＰＵ１３は、オブジェクト３が十分近づいて、オブジェクト３の表面に付されている文字及び人物の画像を取得できたか否かの判定をする。文字及び人物の画像を取得できた場合（ステップＳ３２２：ＹＥＳ）、ＣＰＵ１３は、ステップＳ３１１に移行する。一方、文字及び人物の画像を取得できなかった場合（ステップＳ３２２：ＮＯ）、ＣＰＵ１３は、ステップＳ３２３に移行する。
【０１５２】
ステップＳ３２３において、ＣＰＵ１３は、通知部１０５を用いて、オブジェクト３をさらに近づける旨の通知を行う。
【０１５３】
以上説明したように、本実施形態によれば、第１実施形態及び第２実施形態と同様の効果を奏することができる。
【０１５４】
上記各実施形態では、個人情報は、通信部によりＩＣチップ３２から読み取られる情報、又はＩＣチップ３２から読み取られた情報により特定される情報である形態について説明した。しかし、これに限定されない。個人情報は、ＩＣチップ３２及び情報処理装置１に記憶される形態としてもよい。例えば、情報処理装置１は、ＩＣチップ３２から取得した個人情報を取得し、情報処理装置１に記憶されている個人情報と照合してもよい。
【０１５５】
また、上記各実施形態では、人物２及びオブジェクト３を撮影した画像データを解析し、解析結果と、個人情報に含まれる人物及びオブジェクト３の情報とを照合する形態について説明した。画像データと、個人情報を照合出
【実施例】
【０１５６】
次に、本発明を利用した実施例について、説明する。
【０１５７】
（実施例１）
まず、本発明を利用して、銀行口座の開設する際の個人情報の登録及び本人確認を行う実施例について説明する。また、情報処理装置１は、ユーザが所持しているスマートフォン等の端末を用いて実施する例について説明する。
【０１５８】
端末は、ユーザが入力フォームに従い、必要事項を記入した後、ユーザ及び運転免許証（第一のデータ）を撮影を行う。端末は、「本人及び運転免許証の撮影を開始します」というメッセージを画面に表示し、ユーザに撮影の準備を促す。端末は、カメラ機能を起動する。端末は、「画面に表示された矩形の領域内に収まるように、本人及び運転免許証を映してください」というメッセージを画面に表示し、画面にカメラが撮影している画像及び矩形を表示する。端末は、ユーザ及び運転免許証を撮影する際に、矩形の領域内にユーザ及び運転免許証が矩形の領域内に収まっていない、又はユーザ及び運転免許証が映っていない場合、「矩形の領域内に本人及び運転免許証を収めてください」というメッセージを画面に表示する。また、端末は、複数のユーザ及び運転免許証が表示されている場合、「矩形の領域内には、一人のユーザ、及び一つの運転免許証だけを収めてください」というメッセージを画面に表示する。
【０１５９】
ユーザ及び運転免許証の撮影が完了した場合、端末は、運転免許証（第二のデータ）を撮影する。端末は、「運転免許証をカメラに近づけて、画面に表示された矩形の領域内に運転免許証が収まるように配置してください」というメッセージを画面に表示し、矩形の領域を拡大して画面に表示する。端末は、運転免許証を撮影する際に、矩形の領域内に運転免許証が矩形の領域内に収まっていない場合、又は運転免許証が映っていない場合、「矩形の領域内に運転免許証を収めてください」というメッセージを画面に表示する。また、複数の運転免許証が表示されている場合、端末は、「矩形の領域内には、一つの運転免許証を収めてください」というメッセージを画面に表示する。
【０１６０】
運転免許証（第二のデータ）の撮影が完了した場合、端末は、第一のデータに含まれるユーザの画像データと、第二のデータに含まれる人物の画像データとを抽出し、照合を行う。
【０１６１】
また、端末は、「運転免許証を端末の近距離通信部に近づけてください」というメッセージを画面に表示する。端末は、近距離通信部を介して、運転免許証に搭載されているＩＣチップと近距離通信を行い、ＩＣチップに記憶されているユーザの氏名、住所、及び顔情報のデータ（第三のデータ）を取得する。端末は、第二のデータに含まれる運転免許証の画像データから運転免許証の表面に印刷されているユーザの氏名、住所、及び顔情報のデータ（ユーザ情報）を抽出し、第三のデータとユーザ情報とに含まれるユーザの氏名、住所、及び顔情報と照合をする。
【０１６２】
照合結果が一致した場合、端末は、「本人確認が完了致しました」というメッセージを画面に表示し、ユーザが記入した情報、第一のデータ、第二のデータ、及び第三のデータをユーザの情報を管理するサーバに送信する。また、照合結果が一致しなかった場合、端末は、「本人確認ができませんでした。もう一度撮影を行ってください」というメッセージを画面に表示し、カメラ機能を起動する。
【０１６３】
（実施例２）
次に、本発明を利用して、在宅勤務の勤怠管理を行う実施例について説明する。また、情報処理装置１は、ユーザが所持しているスマートフォン等の端末から個人情報等を取得し、端末に通知を行うサーバである例について説明する。
【０１６４】
サーバは、ユーザが所有する携帯端末からの実行指示に従い、「勤怠の登録を行いますか」というメッセージを携帯端末の画面に表示させる。ユーザから登録を行う指示を受け取った場合、サーバは、携帯端末のカメラ機能を起動させ、「画面に表示された矩形の領域内に本人及び社員証を収めてください」というメッセージを携帯端末の画面に表示させる。また、サーバは、携帯端末から受信したユーザ及び社員証の画像データを解析し、社員証の表面に付された人物の画像と、画像データに含まれるユーザの画像とが一致した場合、ユーザによる勤怠の登録を受け付ける。また、サーバは、受信した画像データにユーザ又は社員証が認識できない場合、携帯端末の画面に「本人又は社員証が認識できませんでした。登録処理を終了します。」というメッセージを携帯端末の画面に表示させ、ユーザによる勤怠の登録を受け付けず、登録処理を終了する。
【０１６５】
（実施例３）
次に、本発明を利用して、自宅のドアを開錠する（スマートキー）実施例について説明する。また、情報処理装置１は、ユーザの玄関に設置されているインターフォンである例について説明する。
【０１６６】
インターフォンは、呼び出しボタンが押下された場合、「本人及び身分証明書を撮影します」というメッセージを画面に表示し、インターフォンのカメラ機能を起動する。インターフォンは、ユーザ及び身分証明書を撮影した後、「身分証明書をインターフォン通信部に近づけてください」というメッセージを画面に表示する。インターフォンは、ユーザが身分証明書を近距離通信部に近づける様子を撮影する。インターフォンは、撮影した画像を解析して、インターフォンと身分証明書とが近距離通信を行うまでの期間に、ユーザが身分証明書を近づける動作を認識できたか否かの判定を行う。ユーザによる身分証明書を近づける動作を認識できた場合、インターフォンは、ＩＣチップから取得した情報と、撮影されたユーザ及び身分証明書の画像データと、開錠するか否かの問い合わせを管理者の端末に送信する。インターフォンは、問い合わせを送信した後、管理者からの応答に応じて、ドアの開錠を行う。また、ユーザによる身分証明書を近づける動作を認識できなかった場合、インターフォンは、「身分証明書を近づける動作を認識できませんでした」というメッセージを画面に表示して、処理を終了する。
【０１６７】
（実施例４）
次に、本発明を利用して、オブジェクト３の形状を利用した鍵を作成し、ドアを開錠する実施例について説明する。また、情報処理装置１は、ユーザの玄関に設置されているインターフォンである例について説明する。
【０１６８】
ＩＣチップには、オブジェクト毎に一意に決まっている識別番号が予め記憶されており、インターフォンのストレージにも同様に、予めオブジェクトの三次元的な形状と、ユーザの顔画像と、識別番号が記憶されている。インターフォンは、呼び出しボタンが押下された場合、「本人及びオブジェクトを撮影します」というメッセージをスピーカを用いて再生し、インターフォンのカメラ機能を起動する。インターフォンは、ユーザ及びオブジェクトを撮影した後、「オブジェクトを回転させてください」というメッセージをスピーカを用いて再生し、オブジェクトを撮影する。インターフォンは、撮影したオブジェクトの画像データからオブジェクトの三次元的な形状を解析し、取得する。インターフォンは、オブジェクトの撮影が完了した後、「オブジェクトをインターフォンの近距離通信部に近づけてください」というメッセージをスピーカを用いて再生し、オブジェクトに搭載されているＩＣチップと近距離通信を行い、識別番号を取得する。インターフォンは、取得した識別番号を用いて、インターフォンのストレージに予め記憶されているオブジェクトの三次元的な形状と、ユーザの顔画像を取得する。インターフォンは、撮影したユーザ及びオブジェクト３の画像データからユーザの顔画像を取得し、取得した顔画像と、予め記憶されているユーザの顔画像とを比較する。また、インターフォンは、撮影されたオブジェクトの三次元的な形状と、記憶されているオブジェクトの三次元的な形状を比較する。インターフォンは、顔画像の比較結果と、オブジェクトの三次元的な形状の比較結果とが一致した場合、ドアの開錠を行う。また、インターフォンは、顔画像の比較結果と、オブジェクトの三次元的な形状の比較結果とが一致しなかった場合、「本人又はオブジェクトの情報が登録されている情報と一致しませんでした」というメッセージをスピーカを用いて再生して、処理を終了する。
【０１６９】
その他、上記実施形態で説明した情報処理装置１の構成は、一例であり、主旨を逸脱しない範囲内において状況に応じて変更してもよい。
【０１７０】
また、上記各実施形態で説明したプログラムの処理の流れも、一例であり、主旨を逸脱しない範囲内において不要なステップを削除したり、新たなステップを追加したり、処理順序を入れ替えたりしてもよい。
【０１７１】
なお、上記各実施形態でＣＰＵがソフトウェア（プログラム）を読み込んで実行した情報処理及び撮影処理を、ＣＰＵ以外の各種のプロセッサが実行してもよい。この場合のプロセッサとしては、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、画像を撮影する処理及び個人情報を取得する処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【０１７２】
また、上記各実施形態では、情報処理及び撮影処理のプログラムがストレージ１６に予め記憶（インストール）されている態様を説明したが、これに限定されない。プログラムは、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の記録媒体に記録された形態で提供されてもよい。また、プログラムは、ネットワークを介して外部装置からダウンロードされる形態としてもよい。
【符号の説明】
【０１７３】
１ 情報処理装置
２ 人物
３ オブジェクト
４ 撮影装置
１１ モニタ
１２ 近距離通信部
１３ ＣＰＵ
１４ ＲＯＭ
１５ ＲＡＭ
１６ ストレージ
１７ 通信Ｉ／Ｆ
１８ スピーカ
１９ バス
３１ アンテナ
３２ チップ
４１ 通信Ｉ／Ｆ
４２ カメラ
５１、５２ 領域
１０１ 通信部
１０２ 取得部
１０３ 制御部
１０４ 表示部
１０５ 通知部
１０７ 通知部
１１６ 記憶部
【図１】
2020194296.tif 000003
【図２】
2020194296.tif 000004
【図３】
2020194296.tif 000005
【図４】
2020194296.tif 000006
【図５】
2020194296.tif 000007
【図６】
2020194296.tif 000008
【図７】
2020194296.tif 000009
【図８】
2020194296.tif 000010
【図９】
2020194296.tif 000011
【図１０】
2020194296.tif 000012
【図１１】
2020194296.tif 000013
【図１２】
2020194296.tif 000014
【図１３】
2020194296.tif 000015
【図１４】
2020194296.tif 000016
【図１５】
2020194296.tif 000017